(57)【要約】【課題】一度開封されると視認しやすい顕著な痕跡が残り、未開封と勘違いするような綺麗な状態に戻すことが極めて困難な包装箱を提供する。【解決手段】側面板２０の外面の、開封用破断線２４に囲まれた領域であって、開封時、開封用破断線２４を破断させる開封部２２を備える。側面板２０の外面に、視認可能なインキ２６ａで直線状の絵柄を表示した表示部２６を備える。表示部２６のインキ２６ａは、開封用破断線２４によって区切られて、その両側に連続している。【選択図】図１
0003222334.tif 000002
【実用新案登録請求の範囲】
【請求項１】
箱体の外面の、開封用破断線に囲まれた領域であって、開封時、前記開封用破断線を破断させる開封部と、前記箱体の外面に、視認可能なインキで絵柄を表示した表示部とを備え、
前記表示部のインキは、前記開封用破断線によって区切られて、その両側に連続していることを特徴とする包装箱。
【請求項２】
前記絵柄は、文字、図形、記号又はこれらを組み合わせたものである請求項１記載の包装箱。
【請求項３】
前記開封用破断線は、切れ目と繋ぎ部とが交互に配置されたものであり、前記インキは、幅狭な直線状又は曲線状の部分を有し、当該直線状又は曲線状の部分で、前記切れ目と交差している請求項１又は２記載の包装箱。
【請求項４】
前記開封用破断線は、切れ目と繋ぎ部とが交互に配置されたものであり、前記インキは、幅狭な直線状又は曲線状の部分を有し、当該直線状又は曲線状の部分が、前記繋ぎ部の表面を通って前記開封用破断線の両側に連続している請求項１又は２記載の包装箱。
【考案の詳細な説明】
【技術分野】
【０００１】
この考案は、開封用破断線に囲まれた開封部を有する包装箱に関し、特に、開封痕跡を顕著に残す構造を備えた包装箱に関する。
【背景技術】
【０００２】
近年、医薬品の包装に使用される包装箱は、医薬品を管理する担当者（病院や薬局等の薬剤師等）が開封済みか未開封かを一見して判別できることが強く求められている。例えば、ある医薬品について、既に開封済みの箱があるのを見逃して未開封の箱を開けてしまうと、その医薬品の使用数量や在庫数量が把握しにくくなる。また、一度開封された医薬品が未開封品と誤認されて流通業者に返品される可能性があり、不適切な医薬品が流通してしまうリスクが生じるからである。
【０００３】
開封用破断線で囲まれた開封部を有する包装箱の場合、担当者は、開封済みか未開封かを判別する時に、開封用破断線が切れているか、或いは開封用破断線が変形しているかを観察する。しかし、ミシン目等の一般的な開封用破断線は、一見して正確に判別するのは難しい。
【０００４】
従来、この種の包装箱に、開封されたことを示す痕跡を顕著に残す構造を付加することが提案されている。例えば、特許文献１に開示されているように、側面板の開封部を囲むミシン目状の開封用破断線に近接して、側面板の表面側から中間層にまで達する半切れの切れ目を設けた包装用箱があった。この包装用箱は、開封部を押して開封用破断線を破断させると、開封用破断線と半切れの切れ目との間の部分が側面板の表面から剥離し、剥離後の部分に側面板の中間層が露出する。これが一度開封されたことを示す痕跡となり、開封されたかどうかを視認することができる。
【先行技術文献】
【特許文献】
【０００５】
【特許文献１】実用新案登録第３２１７７３２号公報
【考案の概要】
【考案が解決しようとする課題】
【０００６】
特許文献１の包装用箱の構造は、開封痕跡が目立ちやすくなるが、その効果は十分とは言えず、例えば、不正開封された場合、未開封に見えるように巧妙に戻されてしまう可能性があるので、さらなる改善が求められる。これは、医薬品の包装箱だけでなく、医薬部外品、化粧品、お菓子等の包装箱についても同様である。
【０００７】
また、開封痕跡の顕著さは、半切れの切れ目の深さや幅によって大きく変化する。したがって、顕著な開封痕跡が確実に残るようにするためには、半切れの切れ目の加工を高精度に行う必要があり、製造するのに手間が掛かる。
【０００８】
本考案は、一度開封されると視認しやすい顕著な痕跡が残り、未開封と勘違いするような綺麗な状態に戻すことが極めて困難な包装箱を提供することを目的とする。
【課題を解決するための手段】
【０００９】
この考案は、箱体の外面の、開封用破断線に囲まれた領域であって、開封時、前記開封用破断線を破断させる開封部と、前記箱体の外面に、視認可能なインキで絵柄を表示した表示部とを備え、前記表示部のインキは、前記開封用破断線によって区切られて、その両側に連続している包装箱である。
【００１０】
前記絵柄は、文字、図形、記号又はこれらを組み合わせたものである。また、前記開封用破断線は、切れ目と繋ぎ部とが交互に配置されたものであり、前記インキは、幅狭な直線状又は曲線状の部分を有し、当該直線状又は曲線状の部分で、前記切れ目と交差している構成にすることが好ましい。あるいは、前記開封用破断線は、切れ目と繋ぎ部とが交互に配置されたものであり、前記インキは、幅狭な直線状又は曲線状の部分を有し、当該直線状又は曲線状の部分が、前記繋ぎ部の表面を通って前記開封用破断線の両側に連続している構成にすることが好ましい。
【考案の効果】
【００１１】
この考案の包装箱は、開封用破断線に囲まれた開封部を有し、視認可能なインキで絵柄などを表示した表示部が開封用破断線の両側に跨るように設けられ、インキの特定部分が開封用破断線によって区切られているという独特な構成を備えている。したがって、開封用破断線が破断されると、絵柄の途中にズレが発生したり、インキの特定部分が乱雑に破断したりして顕著な痕跡が残り、しかも、これを未開封と勘違いするような綺麗な状態に戻すことは極めて困難なので、開封済みであることを容易かつ確実に視認することができる。
【００１２】
また、この考案の包装箱は、箱体の外面に所定の絵柄等を表示する必要があるが、絵柄等の印刷は箱体表面の他の印刷に伴って可能であり、これ以外に特別な加工（例えば、半切りの切れ目を設ける加工等）は不要である。したがって、表示部の絵柄のデザインやレイアウトを少し工夫することにより、従来と同様の製造工程で容易に製造することができる。
【図面の簡単な説明】
【００１３】
【図１】この考案の包装箱の一実施形態を示す図であって、蓋部付近の外観を示す斜視図（ａ）、開封部及びその周辺部分の開封前の状態を示す正面図（ｂ）、開封後の状態を示す正面図（ｃ）である。
【図２】表示部の絵柄の第一の変形例を示す図であって、開封部及びその周辺部の開封前の状態を示す正面図（ａ）、開封後の状態を示す正面図（ｂ）である。
【図３】表示部の絵柄の第二の変形例を示す図であって、開封部及びその周辺部の開封前の状態を示す正面図（ａ）、開封後の状態を示す正面図（ｂ）である。
【図４】表示部の絵柄の第三の変形例を示す図であって、開封部及びその周辺部の開封前の状態を示す正面図（ａ）、開封後の状態を示す正面図（ｂ）である。
【考案を実施するための形態】
【００１４】
以下、この考案の包装箱の一実施形態について、図面に基づいて説明する。図１（ａ）はこの実施形態の包装箱１０の組み立て状態を示している。この包装箱１０は、例えば厚紙等で成る一枚の箱体形成片を組み立てることによって形成される。
【００１５】
包装箱１０は、４つの側面板により筒部１２が形成され、側面板１４の端部に、筒部１２の開口を塞ぐための蓋片１６と差し込み片１８とが順に延設されている。側面板１４に対向する側面板２０は、筒部１２の開口側の端辺２０ａに何も延設されておらず、この端辺２０ａの内側に、台形状の開封部２２が設けられている。開封部２２は、包装箱１０を開封する時に使用者が指で押し破る部分であり、端辺２０ａと開封用破断線２４とで囲まれている。開封用破断線２４は、図１（ｂ）に示すように、切れ目２４ａと繋ぎ部２４ｂとがミシン目状に交互に配置され、端辺２０ａの中央部から側面板２０の中央に向かってコの字形に膨出した形状にレイアウトされている。
【００１６】
さらに、側面板２０の、開封部２４付近の外面には、視認可能な絵柄が印刷された表示部２６が設けられている。表示部２６が表示しているのは、インキ２６ａで描いた２つの幅狭な直線が、所定間隔を空けて同一線上に配置された絵柄であり、直線を描く２つのインキ２６ａは、切れ目２４ａと交差し、切れ目２４ａによって区切られて、その両側に連続している。
【００１７】
包装箱１０は、筒部１２及び底部（図示せず）を組み立てて内側に医薬品等の収容物を入れた後、蓋片１６を倒し、差し込み片１８を側面板２０の内側に差し込むことによって筒部１２の開口が閉鎖され、蓋片１４から開封部２２の内側に跨るように封緘シール２８を貼着することによって蓋片１４が固定される。これで蓋部が形成されて収容物が取り出せなくなり、図１（ａ）、（ｂ）に示す組み立て状態になる。なお、蓋片１４の固定は、封緘シール２８を貼着するのではなく、差し込み片１８の中央部を開封部２２の内面に糊付けする方法で行ってもよい。
【００１８】
包装箱１０を開封する時は、開封部２２を外面から押圧し、開封部２２を囲む開封用破断線２４を破断させる。そして、開封部２２が側面板２０から完全に切り離されると、蓋片１６を開くことができる。
【００１９】
開封用破断線２４を破断させると、図１（ｃ）に示すように、開封部２２と側面板２０とが分離して互いの位置関係が変化するため、直線状の各インキ２６ａが途中でズレて段差が発生し、一見して視認できる顕著な痕跡となる。また、繋ぎ部２４ｂが破断すると、その破断面が乱雑な形状になるので、開封部２２と側面板２０との位置関係を元の状態に戻すことは困難であり、直線状の各インキ２６ａの途中に発生した段差が見えなくなるように修復することはできない。
【００２０】
以上説明したように、包装箱１０は、開封用破断線２４に囲まれた開封部２２を有し、表示部２６のインキ２６ａが開封用破断線２４によって区切られて、その両側に連続している。したがって、この独特な構成により、一度開封されると、表示部２６のインキ２６ａに顕著な痕跡が確実に残り、しかも、これを未開封と勘違いするような綺麗な状態に戻すことは極めて困難なので、開封済みであることを容易かつ確実に視認することができる。
【００２１】
また、包装箱１０は、箱体の外面に所定の絵柄を表示しているが、絵柄を表示すること自体は、箱体の外面の他の印刷に伴って容易に可能であり、これ以外に特別な加工（例えば、半切りの切れ目を設ける加工等）は不要である。したがって、従来と同様の製造工程で容易に製造することができる。
【００２２】
なお、この考案の包装箱は、上記実施形態に限定されるものではない。表示部の絵柄は、上記表示部２６（インキ２６ａ）の絵柄に限定されず、本考案が目的とする効果が得られる範囲で下記に示すように自由に選択することができる。
【００２３】
例えば、図２（ａ）、（ｂ）に示す表示部３０は、インキ３０ａで描いた２つの細い曲線が所定間隔を空けて配置された絵柄であり、曲線を描く２つのインキ３０ａは、切れ目２４ａと交差し、切れ目２４ａによって区切られて、その両側に連続しているので、上記と同様の効果が得られる。
【００２４】
また、図３（ａ）、（ｂ）に示す表示部３２は、インキ３２ａで描いた２つの幅狭な直線が所定間隔を空けて配置された絵柄であり、インキ３２ａが繋ぎ部２４ｂの表面を通って開封用破断線２４の両側に連続しているので、上記と同様の効果が得られ、しかも繋ぎ部２４ｂと一緒にインキ３２ａの途中部分が乱雑に破断することによって、より顕著な痕跡が残る。
【００２５】
また、図４（ａ）、（ｂ）に示す表示部３４は、インキ３４ａで描いた２つのべた塗り楕円形状が所定の間隔を空けて配置された絵柄であり、インキ３４ａが切れ目２４ａ及び繋ぎ部２４ｂによって区切られて、その両側に連続しているので、上記と同様の効果が得られる。
【００２６】
その他、表示部の絵柄は、図１〜図４に例示したもの以外に、様々な文字、図形、記号又はこれらの組み合わせたものを使用することができる。例えば、インキで複数の文字等を表記する場合は、文字と文字の間（インキが無い部分）に開封用破断線を配置するのではなく、インキが開封用破断線によって区切られて、その両側に連続するように配置する点に留意する。
【００２７】
その他、開封部の配置や形状、蓋部の構造は、本考案が目的とする動作が可能な範囲で自由に変更することができる。例えば、開封用破断線を破断させるため外から押圧する構造以外に、開封部を引き上げて開封する構造でも良い。さらに、差し込み片を有しない４枚フラップのシールエンドタイプの包装箱の開封部にも適用可能なものである。また、箱体の大きさや基材の材質は用途に合わせて変更可能であり、これに合わせて、開封用破断線の形状（切れ目の長さや角度、繋ぎ部の長さ等）を調整し、破断時に顕著な痕跡が残るようにすればよい。
【符号の説明】
【００２８】
１０  包装箱
２２  開封部
２４  開封用破断線
２４ａ  切れ目
２４ｂ  繋ぎ部
２６，３０，３２，３４  表示部
２６ａ３０ａ，３２ａ，３４ａ  インキ
【図１】
0003222334.tif 000003
【図２】
0003222334.tif 000004
【図３】
0003222334.tif 000005
【図４】
0003222334.tif 000006